(57)【特許請求の範囲】
【請求項１】
かごの敷居部の前端に板状の転落防止用エプロンが垂設され、前記かごのかご床と前記転落防止用エプロンとを連結したエプロン補強部材を設けたエレベータの転落防止用エプロンにおいて、転落防止用エプロンは、転落防止用エプロン本体とエプロン補強部材との連結部の下方に曲げ強度低減部を具備したことを特徴とするエレベータの転落防止用エプロン。
【請求項２】
曲げ強度低減部は、転落防止用エプロン本体に貫通孔を複数具備したことを特徴とする請求項１記載のエレベータの転落防止用エプロン。
【請求項３】
転落防止用エプロン本体は、該転落防止用エプロン本体とエプロン補強部材との連結部近傍に開口部を具備したことを特徴とする請求項１記載のエレベータの転落防止用エプロン。
【発明の詳細な説明】
【０００１】
【発明の属する技術分野】
この発明は、乗客がエレベータの昇降路内へ転落することを防止するエレベータの転落防止用エプロンに関するものである。
【０００２】
【従来の技術】
従来、エレベータの転落防止用エプロンは、例えば、特開平９−６７０７６号公報に開示されたものがある。
【０００３】
図６〜図８は特開平９−６７０７６号公報に開示されたエレベータの転落防止用エプロンの概略構造を示し、図６はエレベータの転落防止用エプロンの正面図、図７はかごが最下階に停止した時の転落防止用エプロンの状態を示す側面図、図８はかごが何らかの原因により最下階を行き過ぎて緩衝器が作動した時の転落防止用エプロンの状態を示す側面図である。図６〜図８において、１は昇降路、２は昇降路の最下端に設けられたピット、３は昇降路１内を昇降するかご、４はかご３の乗降客の出入口、５はかご３の出入口４に設けられたかごの戸、６は乗場、７は乗場６に設けられた乗場の戸、８は板状の転落防止用エプロンである。この転落防止用エプロン８は、何らかの原因によりかご３が乗場６から上方にずれて停止した場合に、乗客を昇降路１内へ転落させずに安全に救出するために設けられている。９はかごの戸５の下端に対向して、かご３のかご床１１上に設けられたかごの敷居である。ここで転落防止用エプロン８は、転落防止用エプロン８の上端部に設けられた取付穴（図示せず）を通して小ネジ８ａで敷居９に溶接などで固定されたナット（図示せず）を結合させて取付けている。１０は転落防止用エプロン８の曲げ強度を増大させる補強用部材のエプロン補強部材である。このエプロン補強部材１０は、転落防止用エプロン８に溶接などで固定された連結片８ｂとエプロン補強部材１０の一端をボルト・ナット（図示せず）などで固定し、かご床１１に溶接などで固定された取付片１１ａとエプロン補強部材１０の他端をボルト・ナット（図示せず）などで固定して取付けている。１２はピット２に設置された緩衝器である。この緩衝器１２は、かご３が何らかの原因により最下階を行き過ぎた時にかご３のかご枠３ａと当り、かご３への衝撃を緩和して停止させるように動作する。１３はピット２の深さに応じて緩衝器１２の取付位置を調整するための嵩上台である。
【０００４】
ここで、従来の特開平９−６７０７６号公報に開示されたようなエレベータにおけるピット２の深さは、かご３が何らかの原因により最下階を行き過ぎて緩衝器１２が作動した時でも転落防止用エプロン８がピット２の底面に接触しない値にされる。従って、最下階の乗場６のフロア面からピット２の底面までの距離（以下ピット深さ）Ｅは、最下階に停止したかご３のかご枠３ａの下面と緩衝器１２が当たるまでの距離Ａと、緩衝器１２の緩衝動作における最大のストロークＢを加えた値だけかご３が最下階を行き過ぎても、転落防止用エプロン８の底面がピット２の底面に当たらないように転落防止用エプロン８の底面からピット２の底面までの距離Ｃを確保する値とされていた。同時に、緩衝器１２を適正な位置に取付けるため、嵩上台１３の高さＤが決定されていた。
【０００５】
【発明が解決しようとする課題】
【０００６】
従来の特開平９−６７０７６号公報に開示されたエレベータにおけるピット深さＥは、かご３が何らかの原因により最下階を行き過ぎて緩衝器１２が作動した時でも転落防止用エプロン８がピット２の底面に当たらない値にしなければならないという制限があり、ピット深さＥを短縮することが困難という課題があった。
【０００７】
この発明は上記のような課題を解決するためになされたもので、ピット深さＥの決定において、転落防止用エプロン８がピット２の底面に当たることを可能とすることを目的とする。
【０００８】
【課題を解決するための手段】
この発明におけるエレベータの転落防止用エプロンは、かごの敷居部の前端に板状の転落防止用エプロンが垂設され、かごのかご床と転落防止用エプロンとを連結したエプロン補強部材を設けたエレベータの転落防止用エプロンにおいて、転落防止用エプロンは、転落防止用エプロン本体に曲げ強度低減部を設けたものである。
【０００９】
また、曲げ強度低減部は、転落防止用エプロン本体に貫通孔を複数設けたものである。
【００１０】
また、転落防止用エプロン本体は、転落防止用エプロン本体とエプロン補強部材との連結部近傍に開口部を設けたものである。
【００１１】
また、転落防止用エプロン本体とエプロン補強部材との連結部の下方に曲げ強度低減部を設けたものである。
【００１２】
また、この発明におけるエレベータの転落防止用エプロンは、かごの敷居部の前端に板状の転落防止用エプロンが垂設され、前記かごのかご床と前記転落防止用エプロンとを連結したエプロン補強部材を設けたエレベータの転落防止用エプロンにおいて、転落防止用エプロンは、固定部材と、該固定部材上を摺動する摺動部材とを有し、前記固定部材は、該固定部材とエプロン補強部材との連結部近傍に開口部を有し、前記摺動部材は、水平方向の両端がコの字状に加工され、このコの字状の部分の間に前記固定部材を挟み込むように配置したものである。
【００１４】
【発明の実施の形態】
実施の形態１．
図１は、本発明の実施の形態１によるエレベータの転落防止用エプロンの正面図、図２は、かごが何らかの原因により最下階を行き過ぎて緩衝器が作動した時の本発明の実施の形態１によるエレベータの転落防止用エプロンの状態を示す側面図である。図１及び図２において、１は昇降路、２は昇降路の最下端に設けられたピット、３は昇降路１内を昇降するかご、４はかご３の乗降客の出入口、５はかご３の出入口４に設けられたかごの戸、６は乗場、７は乗場６に設けられた乗場の戸、２８は板状の転落防止用エプロンである。この転落防止用エプロン２８は、何らかの原因によりかご３が乗場６から上方にずれて停止した場合に、乗客を昇降路１内へ転落させずに安全に救出するために設けられている。９はかごの戸５の下端に対向して、かご３のかご床１１上に設けられたかごの敷居である。ここで転落防止用エプロン２８は、転落防止用エプロン２８の上端部に設けられた取付穴（図示せず）を通して小ネジ２８ａで敷居９に溶接などで固定されたナット（図示せず）を結合させて敷居９に取付けている。１０は転落防止用エプロン２８の曲げ強度を増大させる補強用部材のエプロン補強部材ある。このエプロン補強部材１０は、転落防止用エプロン２８に溶接などで固定された連結片２８ｂに設けられた貫通穴（図示せず）にボルト１７を通し、このボルト１７とエプロン補強部材１０の一端に溶接などで固定されたナット（図示せず）とを結合させて転落防止用エプロン２８に固定し、かご床１１に溶接などで固定された取付片１１ａとエプロン補強部材１０の他端をボルト・ナット（図示せず）などで固定して取付けている。１６はボルト１７の取り付け又は取り外しを乗場６の側より行うことができるように転落防止用エプロン２８に設けられた貫通穴、１４は転落防止用エプロン２８に複数設けられた貫通孔（以下、スリット）、２８ｃは複数のスリット１４のために転落防止用エプロン２８の板圧方向の曲げに対する強度が他の部分より低減した曲げ強度低減部、１５はスリット１４より下方の転落防止用エプロン２８の曲げ強度を確保するために転落防止用エプロン２８に固定された補強材、１２はピット２に設置された緩衝器である。この緩衝器１２は、かご３が何らかの原因により最下階を行き過ぎた時にかご３のかご枠３ａと当たり、かご３への衝撃を緩和して停止させるように動作する。ここで、緩衝器１２は、ピット２の深さに応じて緩衝器１２の取付位置を調整するために用いられる嵩上台を介在せずにピット２に設置されており、ピット深さは嵩上台の高さの分だけ浅くなっている。
【００１５】
次に動作について説明する。
かご３が何らかの原因により最下階を行き過ぎて緩衝器１２が作動するに至った時、転落防止用エプロン２８の最下端がピット２の底面に当たり、転落防止用エプロン２８に対して、転落防止用エプロン２８の最下部から上方に向かう力が加わり、転落防止用エプロン２８の板圧方向の曲げに対する強度が他の部分より低減した曲げ強度低減部２８ｃで折れ曲がる。
ここで、転落防止用エプロン２８の最下部は昇降路１の水平方向に傾斜した傾斜部分２８ｄを有しており、かご３が何らかの原因により最下階を行き過ぎて緩衝器１２が作動するに至った時、昇降路１の水平方向にずれた傾斜部分２８ｄの下端でピット２の底面と当たる。その結果、上記の転落防止用エプロン２８の最下部から上方に向かう力と共に転落防止用エプロン２８を曲げようとする力も加わり、曲げ強度低減部２８ｃにおいて、さらに確実の折れ曲がる。
【００１６】
次に、転落防止用エプロン２８の最下部がピット２の底面に当たって折れ曲がった転落防止用エプロン２８を正常なものと交換する方法を説明する。
転落防止用エプロン２８の折れ曲がりは、曲げ強度低減部２８ｃで生じるため、曲げ強度低減部２８ｃの上方に、エプロン補強部材１０を連結するために設けられた連結片２８ｂの近傍は変形が少ない。従って、乗場６側から転落防止用エプロン２８の貫通穴１６を通してボルト１７を取り外して転落防止用エプロン２８からエプロン補強部材１０を分離させることが容易にできる。次に、転落防止用エプロン２８の上端部から小ネジ２８を取り外して折れ曲がった転落防止用エプロン２８を取り外すことができる。
【００１７】
また、正常な転落防止用エプロン２８の取付けは、転落防止用エプロン２８の上端部と敷居９に溶接などで固定されたナットとを小ネジ２８ａで結合させ、乗場６側から貫通穴１６を通して転落防止用エプロン２８に固定された連結片２８ｂとエプロン補強部材１０に固定されたナットとをボルト１７で結合させることで正常な転落防止用エプロン２８を取り付けることができる。
【００１８】
なお、上記実施の形態では、転落防止用エプロン２８を敷居９に取付けるように構成したが、これを、敷居９近傍のかご床１１に取付けるように構成しても良い。ここで、敷居９と転落防止用エプロン８が取付可能な敷居９近傍のかご床１１とにより敷居部９ａを構成する。
また、上記実施の形態では、緩衝器１２は、ピット２の深さに応じて緩衝器１２の取付位置を調整するために用いられる嵩上台を介在せずにピット２に設置したが、かご３が何らかの原因により最下階を行き過ぎて緩衝器１２が作動するに至った時、転落防止用エプロン２８の最下端がピット２の底面に当たり、転落防止用エプロン２８が曲げ強度低減部２８ｃで折れ曲がるだけのピット深さにおいて嵩上台を介在させても良い。
【００１９】
以上のように、本発明の実施の形態１によるエレベータの転落防止用エプロン２８は、かご３が何らかの原因により最下階を行き過ぎて緩衝器１２が作動するに至った時、転落防止用エプロン２８の最下部をピット２の底面に当てた後、かご３への損傷を与えないように転落防止用エプロン２８を折れ曲がるようにしたので、ピット深さを浅くすることができるという効果がある。
【００２０】
また、転落防止用エプロン２８に貫通穴１６を設けたので、乗場６側から転落防止用エプロン２８とエプロン補強部材１０を分離でき、転落防止用エプロン２８の交換が容易であるという効果がある。
【００２１】
また、エプロン補強部材１０を連結するための連結片２８ｂを曲げ強度低減部２８ｃの上方に設けたので、転落防止用エプロン２８の最下部がピット２の底面に当たっても連結片２８ｂの近傍は変形等が少なくされるので乗場６側から転落防止用エプロン２８とエプロン補強部材１０を容易に分離でき、転落防止用エプロン２８を乗場６側から容易に交換できるという効果がある。
【００２２】
実施の形態２．
図３は、本発明の実施の形態２によるエレベータの転落防止用エプロンの正面図、図４は、かごが何らかの原因により最下階を行き過ぎて緩衝器が作動した時の本発明の実施の形態２によるエレベータの転落防止用エプロンの状態を示す正面図、図５は、かごが何らかの原因により最下階を行き過ぎて緩衝器が作動した時の本発明の実施の形態２によるエレベータの転落防止用エプロンの状態を示す側面図である。図３乃至図５において、３８は転落防止用エプロン、３８ａは転落防止用エプロン３８を構成する板状の固定部材、３８ｂは転落防止用エプロン３８を構成する稼動部材である。固定部材３８ａは、固定部材３８ａの上端部に設けられた取付穴（図示せず）を通して小ネジ３８ｃで敷居９に溶接などで固定されたナット（図示せず）を結合させて敷居９に取付けている。また、稼動部材３８ｂは、水平方向の両端がコの字状に加工されており、この両端のコの字状の部分の間に挟み込むように固定部材３８ａを配置させ、固定部材３８ａの水平方向の両端部と稼動部材３８ｂのコの字状の部分とにおいて稼動部材３８ｂを固定部材３８ａの上部方向または下部方向に摺動可能に固定部材３８ａを保持している。１０ａは転落防止用エプロン３８の曲げ強度を増大させる補強用部材のエプロン補強部材である。このエプロン補強部材１０ａは、固定部材３８ａに溶接などで固定された連結片３８ｄに設けられた貫通穴（図示せず）にボルト１７を通し、このボルト１７とエプロン補強部材１０ａの一端に溶接などで固定されたナット（図示せず）とを結合させて固定部材３８ａに固定し、かご床１１に溶接などで固定された取付片１１ａとエプロン補強部材１０ａの他端をボルト・ナット（図示せず）などで固定して取付けている。１６ａはボルト１７の取り付け又は取り外しを乗場６の側より行うことができるように固定部材３８ａに設けられた貫通穴、１９は稼動部材３８ｂに設けられたストッパーである。このストッパー１９は、貫通穴１６ａの中を上下に移動可能に配置されている。通常、ストッパー１９は、図３に示したように稼動部材３８ｂの自重で貫通穴１６ａの下端に当接している。ストッパー１９が貫通穴１６ａの下端に当接した状態の転落防止用エプロン３８は、何らかの原因によりかご３が乗場６から上方にずれて停止した場合に、乗客を昇降路１内へ転落させずに安全に救出するように動作する。また、かご３が何らかの原因により最下階を行き過ぎて転落防止用エプロン３８の最下部がピット２の底面に当たった時、転落防止用エプロン３８に対して、転落防止用エプロン３８の最下部から上方に向かう力が発生する。この力により稼動部材３８ｂは、稼動部材３８ｂの水平方向の両端にあるコの字状の部分と固定部材３８ａの水平方向の両端部とを摺動させて固定部材３８ａの上部方向に移動する。
【００２３】
次に動作について説明する。
かご３が何らかの原因により最下階を行き過ぎて緩衝器１２が作動するに至った時、転落防止用エプロン３８の最下端がピット２の底面に当たり、転落防止用エプロン３８に対して、転落防止用エプロン３８の最下部から上方に向かう力が発生する。この力により、転落防止用エプロン３８の稼動部材３８ｂは、図４及び図５に示すように稼動部材３８ｂの水平方向の両端にあるコの字状の部分と固定部材３８ａの水平方向の両端部とを摺動させて固定部材３８ａの上部方向に移動する。
また、上記の転落防止用エプロン３８の稼動部材３８ｂが固定部材３８ａの上部方向に移動した図４及び図５に示す状態からストッパー１９が稼動部材３８ｂの自重で貫通穴１６ａの下端に当接した図３に示す正常な状態への回復は、かご３を上方の階へ移動させることにより実現される。ここで、かご３を上方の階へ移動させることにより、転落防止用エプロン３８の最下端がピット２の底面から離間し、稼動部材３８ｂは、自重で稼動部材３８ｂの水平方向の両端にあるコの字状の部分と固定部材３８ａの水平方向の両端部とを摺動させて固定部材３８ａの下部方向へ移動し、ストッパー１９は、図３に示したように稼動部材３８ｂの自重で貫通穴１６ａの下端に当接する。
【００２４】
次に、転落防止用エプロン３８に交換が必要な程度に変形が生じた時に行う正常な転落防止用エプロン３８との交換方法を説明する。
まず、かご３を上方の階へ移動させて、変形が生じた転落防止用エプロン３８の稼動部材３８ｂの上端から固定部材３８ａの貫通穴１６ａを通してボルト１７を操作できる図３に示した状態とする。その結果、乗場６側から固定部材３８ａの貫通穴１６ａを通してボルト１７を取り外して転落防止用エプロン３８からエプロン補強部材１０ａを分離させることが容易にできる。次に、固定部材３８ａの上端部から小ネジ３８ｃを取り外して折れ曲がった変形した転落防止用エプロン３８を取り外すことができる。
【００２５】
また、正常な転落防止用エプロン３８の取付けは、固定部材３８ａの上端部と敷居９に溶接などで固定されたナットとを小ネジ３８ｃで結合させ、乗場６側から貫通穴１６ａを通して固定部材３８ａに固定された連結片３８ｄとエプロン補強部材１０ａに固定されたナットとをボルト１７で結合させることで正常な転落防止用エプロン３８を取り付けることができる。
【００２６】
なお、上記実施の形態では、転落防止用エプロン３８を敷居９に取付けるように構成したが、これを、敷居９近傍のかご床１１に取付けるように構成しても良い。ここで、ここで、敷居９と転落防止用エプロン８が取付可能な敷居９近傍のかご床１１とにより敷居部９ｂを構成する。
【００２７】
以上のように、本発明の実施の形態２によるエレベータの転落防止用エプロン３８は、かご３が何らかの原因により最下階を行き過ぎて緩衝器１２が作動するに至った時、転落防止用エプロン３８の最下部をピット２の底面に当てた後、かご３への損傷を与えないように稼動部材３８ｂの水平方向の両端にあるコの字状の部分と固定部材３８ａの水平方向の両端部とを摺動させて固定部材３８ａの上部方向に移動するようにしたので、ピット深さを浅くすることができるという効果がある。
【００２８】
また、固定部材３８ａに貫通穴１６ａを設けたので、乗場６側から転落防止用エプロン３８とエプロン補強部材１０ａを分離でき、転落防止用エプロン３８の交換が容易であるという効果がある。
【００２９】
【発明の効果】
この発明におけるエレベータの転落防止用エプロンは、かごが何らかの原因により最下階を行き過ぎて緩衝器が作動するに至った時、転落防止用エプロンの最下部をピットの底面に当てた後、かごへの損傷を与えないように転落防止用エプロンを折れ曲がるようにしたので、ピット深さを浅くすることができる。
【００３０】
また、転落防止用エプロンに貫通穴を設けたので、乗場側から転落防止用エプロンとエプロン補強部材を分離でき、転落防止用エプロンの交換が容易である。
【００３１】
また、エプロン補強部材を連結するための連結片を曲げ強度低減部の上方に設けたので、転落防止用エプロンの最下部がピットの底面に当たっても連結片の近傍は変形等が少なくされるので乗場側から転落防止用エプロンとエプロン補強部材を容易に分離でき、転落防止用エプロンを乗場側から容易に交換できる。
【００３２】
また、かごが何らかの原因により最下階を行き過ぎて緩衝器が作動するに至った時、転落防止用エプロンの最下部をピット２の底面に当てた後、かごへの損傷を与えないように稼動部材の水平方向の両端にあるコの字状の部分と固定部材の水平方向の両端部とを摺動させて固定部材の上部方向に移動するようにしたので、ピット深さを浅くすることができる。
【００３３】
また、固定部材に貫通穴を設けたので、乗場側から転落防止用エプロンとエプロン補強部材を分離でき、転落防止用エプロンの交換が容易である。
【図面の簡単な説明】
【図１】  本発明の実施の形態１によるエレベータの転落防止用エプロンの正面図である。
【図２】  本発明の実施の形態１によるエレベータの転落防止用エプロンの側面図である。
【図３】  本発明の実施の形態２によるエレベータの転落防止用エプロンの正面図である。
【図４】  本発明の実施の形態２によるエレベータの転落防止用エプロンの正面図である。
【図５】  本発明の実施の形態２によるエレベータの転落防止用エプロンの側面図である。
【図６】  従来のエレベータの転落防止用エプロンの正面図である。
【図７】  従来のエレベータの転落防止用エプロンの側面図である。
【図８】  従来のエレベータの転落防止用エプロンの側面図である。
【符号の説明】
１  昇降路、２  ピット、３  かご、６  乗場、９  敷居、９ａ  敷居部、９ｂ敷居部、１０  エプロン補強部材、１０ａ  エプロン補強部材、１１  かご床、１４  貫通孔、２８  転落防止用エプロン、２８ｂ  連結片、２８ｃ  曲げ強度低減部、３８  転落防止用エプロン、３８ａ  固定部材、３８ｂ  稼動部材、３８ｄ  連結片
【図１】
0003979056.tif 000002
【図２】
0003979056.tif 000003
【図３】
0003979056.tif 000004
【図４】
0003979056.tif 000005
【図５】
0003979056.tif 000006
【図６】
0003979056.tif 000007
【図７】
0003979056.tif 000008
【図８】
0003979056.tif 000009